(57)【要約】【目的】  通常のヘッドフォンは既存のオーデイオ機器にこれをつけて聞くだけのものである。歯科治療では患者は意志表示が困難である。意志機能付ヘッドフォンを提供する。【構成】  押ボタン７ａを押すと音声合成装置８は「いたい、いたい」の音声信号を生成してスピーカ３から発声する。同様に押ボタン７ｂを押すとスピーカ３から「いたい、とてもいたい」の発声をする。スイッチ７ｃを横にずらすとマイク４とイヤーセット５がつながれ、ドクターの声がマイク４、イヤーセット５を介して患者に伝えられる。押ボタンスイッチ７が使用されていないときは音響再生装置２の信号はライン６を介してイヤーセット５に送られ音楽が聞えている。【選択図】  図１
2008301988.tif 000002
【特許請求の範囲】
【請求項１】
歯科治療に用いられる患者の意志表示機能付ヘッドフォンであって、
歯科治療台に座ってイヤーセットを装着した患者が操作できる位置に設けた意志表示用スイッチと、
意志表示用スイッチから信号を入力され人工音声信号を出力する音声合成装置と、
人工音声信号を入力されて人工音声を出力するスピーカと、
を有する音声再生プレーヤーと、
音声再生プレーヤーと有線を介して結合された前記イヤーセットと、
を有する歯科治療に用いられる患者の意志表示機能付ヘッドフォン。
【請求項２】
意志表示用スイッチは音声再生プレーヤーに一体的に組み込まれていることを特徴とする請求項１に記載の意志表示機能付ヘッドフォン。
【請求項３】
意志表示用スイッチは有線を介して音声再生プレーヤーに結合されていることを特徴とする請求項１に記載の意志表示機能付ヘッドフォン。
【請求項４】
操作可能なスイッチにより付勢、消勢され集音した音を電気信号に変換してイヤーセットに送るようにマイクを設けた音声再生プレーヤーを有することを特徴とする請求項１から３の何れか１つに記載の意志表示機能付ヘッドフォン。
【請求項５】
イヤーセットは歯科用切削工具より発生する音を消音するアクテイブノイズコントロール部材を有することを特徴とする請求項１から４の何れか１つに記載の意志表示機能付ヘッドフォン。
【請求項６】
ヘッドレストに集音マイクと制御スピーカを有し集音マイクで集音した歯科用切削装置より発生する騒音を制御スピーカから発生する音で消音するアクテイブノイズコントロール部材を有する歯科用治療台と併せて請求項１から４の何れか１つの歯科治療に用いられる患者の意志表示機能付ヘッドフォンを有する歯科用治療セット。
【発明の詳細な説明】
【技術分野】
【０００１】
本発明はＣＤ、カセットテープ、ミニデイスク等の音声再生装置を有する歯科における医師と患者間の交信を行う意志表示機能付ヘッドフォンに関する。
【背景技術】
【０００２】
通常のヘッドフォンは既存のＣＤプレーヤー等のオーデイオ機器にこれをつけて聞くだけのものである。このようなヘッドフォンの通常の使用方法であっても、歯科治療中に患者に装着して用いることにより、歯科治療に伴なう音を紛らわせることはできる。
【特許文献１】特開平１１−２１２５９６号公報
【発明の開示】
【発明が解決しようとする課題】
【０００３】
しかし乍、普通のヘッドフォンだけだと医師からの音声の伝達が妨げられるので例えば「口をもっとあけて」「口をすすいで下さい」とかの意志伝達が不確実となる。患者は治療中は口を動かすことが出来ないので当然話せない。ヘッドフォンをスピーカマイクロフォンにしても患者はスピーカマイクロフォンのスピーカに話しかけることは勿論できない。そこで、従来から歯科治療中の患者からドクターへの意志伝達は不可能に近かった。
【０００４】
そこで、患者がヘッドフォンで音楽を聞き乍ドクターに意志伝達をどうすればよいか、ドクターがヘッドフォンで音楽を聞いている患者にどのようにして意志伝達をするかという課題が生ずる。
【０００５】
本発明はこのような課題を解決して、患者はオーディオ機器で音楽等を聞き乍且つドクターと患者間の意思の伝達を向上させ得る意志表示機能付ヘッドフォンを提供することを目的とする。
【０００６】
歯科用切削工具はキーンと高音で音圧レベルの大きい騒音を生ずる。この音は患者にとっては痛みとの連想もあっていやな音と感ずる。
【０００７】
本発明は上記患者の意志伝達を向上するために、歯科用切削工具の騒音からまぬがれ得る歯科用治療セットを提供することを目的とする。
【課題を解決するための手段】
【０００８】
本出願に係る第１の発明は歯科治療に用いられる患者の意志表示機能付ヘッドフォンであって、
歯科治療台に座ってイヤーセットを装着した患者が操作できる位置に設けた意志表示用スイッチと、
意志表示用スイッチから信号を入力され人工音声信号を出力する音声合成装置と、
人工音声信号を入力されて人工音声を出力するスピーカと、
を有する音声再生プレーヤーと、
音声再生プレーヤーと有線を介して結合された前記イヤーセットと、
を有する歯科治療に用いられる患者の意志表示機能付ヘッドフォンである。
【０００９】
本出願に係る第２の発明は意志表示用スイッチは音声再生プレーヤーに一体的に組み込まれていることを特徴とする第１の発明に記載の意志表示機能付ヘッドフォンである。
【００１０】
本出願に係る第３の発明は意志表示用スイッチは有線を介して音声再生プレーヤーに結合されていることを特徴とする第１の発明に記載の意志表示機能付ヘッドフォンである。
【００１１】
本出願に係る第４の発明は患者が操作可能なスイッチにより付勢、消勢され集音した音を電気信号に変換してイヤーセットに送るようにマイクを設けた音声再生プレーヤーを有することを特徴とする第１から第３の発明の何れか１つに記載の意志表示機能付ヘッドフォンである。
【００１２】
本出願に係る第５の発明はイヤーセットは歯科用切削工具より発生する音を消音するアクテイブノイズコントロール部材を有することを特徴とする第１から第４の発明の何れか１つに記載の意志表示機能付ヘッドフォンである。
【００１３】
本出願に係る第６の発明はヘッドレストに集音マイクと制御スピーカを有し集音マイクで集音した歯科用切削装置より発生する騒音を制御スピーカから発生する音で消音するアクテイブノイズコントロール部材を有する歯科用治療台と併せて第１から第４の発明の何れか１つの歯科治療に用いられる患者の意志表示機能付ヘッドフォンを有する歯科用治療セットである。
【発明の効果】
【００１４】
請求項１に係る発明によれば、患者は歯科治療中に手を使うだけで治療に関して意志表示ができる。ドクターは現在行っている治療に対して患者の意志表示があるため、治療方針の続行の可否、変更を検討できる。音声再生プレーヤーであるので音楽を聞きながら、治療中の中断の意志表示もできる。また、イヤーセットは外部音を不完全乍遮断もしているので歯科用切削装置の発する音を減音できる。
【００１５】
請求項２に係る発明によれば、意志表示用スイッチは音声再生プレーヤーに一体に組み込まれているので、取り扱い易い。
【００１６】
請求項３に係る発明によれば、意志表示用スイッチは患者が操作し易い位置に配設する事ができると共に音声再生プレーヤーのボタンを誤操作するおそれがない。
【００１７】
請求項４に係る発明によれば、音声再生プレーヤーにマイクを設けて、マイクで集音した音を電気信号に変換してイヤーセットに送るようにしたので、ドクターの患者への意志表示が明瞭に伝えられる。また、歯科用切削装置が使用されているときはマイクにつながるスイッチでマイクを消勢しておくことができるので、歯科用切削装置の騒音はイヤーセットで減音されて患者に聞えるだけである。
【００１８】
請求項５に係る発明によれば、歯科用切削工具の発する音が耳に入る際に小さくなる。
【００１９】
請求項６に係る発明によれば、イヤーセット外で歯科用切削装置から発生する騒音は小さくできる。そして、イヤーセットのイヤーマフラーで更に該騒音を遮音できる。マイクに入る歯科切削装置から生ずる騒音が小さくなっているので、ドクターの声がマイクを通じて患者によく伝えられる。
【実施例】
【００２０】
以下、図面を用いて本発明の実施例を示す。  図１は実施例の全体を示す模式的に示す外観図である。図２は実施例のブロック図である。
【００２１】
ヘッドフォンの全体を示す図１に示すようにオーディオ機器として音声再生プレーヤー例えばＣＤプレーヤー１にはＣＤの音響再生装置２、スピーカ３、マイク４、音声合成装置８を一体的に有している。図略してあるがＣＤプレーヤー１には周知の操作部材が表面に設けてある。ＣＤプレーヤー１とイヤーセット５は有線のライン６で結ばれている。ライン６の長さは例えば歯科の治療台に寝た姿勢の患者がイヤーセット５を装着した状態でドクターがマイクロフォン（以下、マイクという）４に向けて話し易いように患者の上体の上に置く又はドクターから見て患者の側方にスタンド等でＣＤプレイヤー１を支持しておくことのできる長さである。
【００２２】
ライン６には患者の意志を表示する意志表示用スイッチとして押ボタンスイッチ７が支持されている。押ボタンスイッチ７はのイヤーセット５を装着した患者が押すことができる位置に位置している。押ボタンスイッチ７は大小の押ボタン７ａ，７ｂ、横にずらすスイッチ７ｃを備えている。押ボタンスイッチ７には図示されないが小さい押ボタン７ａの傍には押ボタン７ａを説明を示す「いたい」の文字又はいたい表情を表わす顔の図形が表示してある。同じく大きい押ボタン７ｂの説明を示す「とてもいたい」の文字又はとてもいたいの表情を表わす顔の図形を表示してある。同じく横にずらすスイッチ７ｃの説明を示す操作方向の両矢印、音楽の文字又はマイク４を表わす文字又はこれら図形を表示してある。
【００２３】
ＣＤプレーヤー１には音声合成装置８が設けてある。音声合成装置８の発生する音声信号はスピーカ３に送られスピーカ３から人工音声を発する。押ボタンスイッチ７と音声合成装置８は有線のライン９で結ばれている。有線のライン９は押ボタン７ａ，７ｂで発生させる能動信号を音声合成装置８へ伝える。音声合成装置８は押ボタン７ａを押すと「いたい、いたい」の人工音声の電気信号をスピーカ３に送る。スピーカ３は「いたい、いたい」と音声を発声する。同様に音声合成装置８は押ボタン７ｂを押すと「いたい、とてもいたい」の人工音声の電気信号をスピーカ３に送る。スピーカ３は「いたい、とてもいたい」と音声を発声する。
【００２４】
ここで音声合成装置８は音響再生装置２の一部を用いて音声を発生させてスピーカ３から音声を生ずるものに代えることも可能である。しかし、「いたい」「とてもいたい」の意志表示は急を要するので押ボタン７ａ，７ｂを押した際には直ちに発声しなければならないので、別途音声合成装置８を設ける方がよい。なお、図示はライン６，９を分けてあるが実施例はライン６，９及び後述するライン１８は束ねてある。
【００２５】
上記ＣＤプレーヤー１、イヤーセット５、押ボタンスイッチ７でもって意志表示機能付ヘッドフォンを構成している。
【００２６】
図１、図２に示す横にずらすスイッチ７ｃは有線のライン１８、ＣＤプレーヤー１内に設けたオア回路１５、ライン１６を介してＣＤプレーヤー１内のアンプ１２に結合されている。スイッチ７ｃのオンオフでアンプ１２はオンオフされる。
【００２７】
図２は図１のＣＤプレーヤー１の内部構成を示すブロック図である。コンパクトディスクＣＤ、ミニディスク、テープ等の記録媒体に記録された音楽等を再生する音響再生装置２の出力はライン６でイヤーセット５に送られるようになっている。マイク４が受信した音声は音声信号に変えられアンプ１２、ライン１１，６を介してイヤーセット５から音声として患者に伝えられる。ライン６には音響再生装置２の出力部につづいて常閉スイッチ６ａが介装されている。アンプ１２が付勢されているときはアンプ１２はドライバを介して常閉スイッチ６ａを開成するようになっている。
【００２８】
押ボタンスイッチ７は押ボタン７ａ，７ｂ、横にずらすスイッチ７ｃを備えている。押ボタン７ａ，７ｂを押すことによる能動信号は音声合成装置８を動作させる。
【００２９】
音声合成装置８としては種々のものが提案されているが、例えば、予めテキスト信号を入力しておいて、押ボタン７ａを押すと「いたい、いたい」の合成音を発生する。押ボタン７ｂを押すと「いたい、とてもいたい」との声を発生する。
【００３０】
押ボタン７ａ，７ｂを押した際の信号はライン９を介して音声合成装置８に入力されると共にライン９、オア回路１５、ライン１６を介してアンプ１２に入力されアンプ１２を付勢するようになっている。
【００３１】
図５は音声合成装置８の一例を示すブロック図である。テキスト入力３１が入力されると、その入力を受けて発音記号生成部３２は発音記号を生成し時間長制御部３４及び音源生成部３５並びにスペクトル生成部３７に出力する。同じくテキスト入力３１が入力されると韻律記号生成部３３は韻律記号を生成し時間長制御部３４及びピッチ生成部３６へ出力する。発音記号と韻律記号を入力された時間長制御部３４は出力する音声の時間を制御する。韻律記号を入力されたピッチ生成部３６は音声のピッチを生成してスペクトル生成部３７に出力する。音源生成部３５は入力された発音記号から音声の音源を生成して波形合成部３８へ出力する。スペクトル生成部３７は入力されたピッチと発音記号とから音声の周波数分布を示すスペクトルを生成し波形合成部３８へ出力する。波形合成部３８はスペクトルと音源とから合成音声波形３９を合成して出力する。合成音声波形３９は図示されないメモリに記憶される。
【００３２】
この音声合成装置８の主要部は１つのＬＳＩで構成されている。
【００３３】
アンプ１２は横にずらすスイッチ７ｃからライン１８、オア回路１５、ライン１６を介してオン、オフされるようになっている。アンプ１２は横にずらすスイッチ７ｃのオン信号が入力されているときは、常閉スイッチ６ａを開く能動信号を発生するドライバを備えている。
【００３４】
歯科治療台１７上の患者１３（図３参照）から患者１３の手が届く範囲に押ボタンスイッチ７が配されている。押ボタン７ａ，７ｂを押すことにより発生する信号はライン９を介して音声合成装置８に入力されるようになっている。
【００３５】
音声合成装置８で発生した音声は増幅器１４で増幅してスピーカ３から発声される。既にのべたように押ボタン７ａを押すと音声発生装置８に予めテキスト入力されている「いたい、いたい」が音声に変換され増幅器１４で増幅されてスピーカ３から発声される。同様に押ボタン７ｂを押すとスピーカ３から「いたい、とてもいたい」の合成音が発声される。
【００３６】
次に上記構成の作用を説明する。図３は歯科治療中を示す模式的斜視図である。歯科治療台１７には患者１３が半横臥して口１３ａをあけてドクターＤの歯の治療を受けている。ＣＤプレーヤー１は患者１３の上に置かれる。またＣＤプレーヤー１は歯科医療器具を置く台（図略）上に置いてもよい。患者１３はイヤーセット５を装着している。押ボタンスイッチ７は患者１３の手の届く範囲に置かれている。押ボタンスイッチ７を一体的にＣＤプレーヤー１に組み込んだ場合は、ＣＤプレーヤー１の置き場所は患者１３の胴体上に限られる。
【００３７】
歯科治療が始まる前からＣＤプレーヤー１は音響再生装置２が起動されており、患者１３は心が静まる音楽を聴いている。ドクターＤが患者１３に話しかけるとその声はイヤーセット５で妨げられるので患者１３には完全に聞えないにしても、話しかけていることは分る。そこで患者１３は横にずらすスイッチ７ｃを入れる。これによってアンプ１２は付勢され、ライン６に介装した常閉スイッチ６ａは開成し、音響再生装置２からイヤーセット５への信号は絶たれ音楽は聞えなくなると同時にマイク４から入力されたドクターＤの声は音声信号に変換されアンプ１２を介してイヤーセット５により患者１３に伝えられる。例えば、ドクターＤは歯科治療を始める前に「これから始めますよ」と云うと、マイク４は、アンプ１２、ライン１１，６、イヤーセット５を介して患者１３に「これから始めますよ」が伝えられる。
【００３８】
ドクターＤが話しかける音声がイヤーセット５のマフラーを介して聞えると同時に患者１３は横にずらすスイッチ７ｃを入れるとライン１８、オア回路１５、ライン１６を介してアンプ１２は付勢され、ドクターＤの声はマイク４、アンプ１２、ライン１１，６を介してイヤーセット５から聞えるので、次にのべるように横にずらすスイッチ７ｃを機械的に自動復帰して切るようにしてもよい。
【００３９】
横にずらすスイッチ７ｃはばね力等で復帰出来るようにしておけば患者１３は該スイッチ７ｃから指を離すだけでアンプ１２は消勢され、常閉スイッチ６ａは閉成し音響再生装置２から出る音響信号はライン６を介してイヤーセット５に伝えられ、イヤーセット５から音楽が流れる。
【００４０】
ドクターＤが行っている治療に対して「これから歯を削りますから、痛いかどうか押ボタン７ａ，７ｂを押して下さい」といい始めると、患者１３は横にずらすスイッチ７ｃを入とする。マイク４はドクターＤの声を信号に変えアンプ１２に送る。アンプ１２はイヤーセット５に上記ドクターＤの音声信号を送り、イヤーセット５から患者１３に伝える。押ボタンスイッチ７の使用方法、押ボタン７ａ，７ｂ、横にずらすスイッチ７ｃ夫々の意味する処を予め患者１３に説明した後に治療に入るようにしてもよい。
【００４１】
治療中にいたいときは患者１３はそのいたさの程度により「いたい  いたい」又は「いたい、とてもいたい」の意志表示をするため押ボタン７ａ又は７ｂを押すと、音声合成装置８はその音声を生成して増幅器１４を介してスピーカ３から発声する。これによって、ドクターＤは治療中の患者１３の状態がよりよく分る。そこで、認識されている治療方法について変更するなり、加減するなり、そのまま続行するなりの判断をしてマイク４を通じてイヤーセット５から患者１３に「もう少しの辛抱ですよ」「すぐ終わりますから」「麻酔を追加します」等を伝える。
【００４２】
上記において押ボタン７ａ又は７ｂを押すと、その信号はライン９、オア回路１５、ライン１６を介してアンプ１２に入力されアンプ１２を付勢する。従って、ドクターＤは患者１３の治療に対する「いたい」「とてもいたい」等の反応に対応して患者１３に話しかけるだけでドクターＤはアンプ１２が付勢されていてマイク４が使用出来るかどうかを考える必要もないし、当然マイクを有効とするスイッチ操作がドクターＤに要求される訳ではない。
【００４３】
押ボタン７ａ又は７ｂにより付勢されたアンプ１２の保持は図示されないがタイマー回路によるのが適当である。即ち、ドクターＤが治療中に患者に話しかける時間はそう長くないからである。
【００４４】
上記において押ボタン７ａ又は７ｂを押してスピーカ３から「いたい、いたい」「いたい、とてもいたい」と発声された合成音声はスピーカ３から発声される。この人工音はマイク４、アンプ１２、ライン１１、イヤーセット５を通じて患者１３に伝えらので患者１３は自己の発した意志表示がドクターＤに伝えられたことを確認できる。
【００４５】
歯科では歯科用切削装置（歯科用ハンドピースともいう）が使用される。図４は歯科用切削装置（ハンドピース）２０の一例のヘッド部を示す。中心の穴に例えばエンドミル状の切削工具２１を軸方向に挿脱可能に中空軸の回転軸２２が設けてある。回転軸２２はころがり軸受２３，２４により両端支持されている。ころがり軸受２３は回転軸２２に固定された羽根車２５を収容できる軸受ハウス２６に嵌入支持されている。ころがり軸受２４を嵌入支持する軸受ハウス２７は軸受けハウス２６に嵌入している。上記各部材は回転軸２２を中心として円形の構成である。
【００４６】
上記構成の回転軸２２、ころがり軸受２３，２４、羽根車２５、軸受ハウス２６，２７はユニット化されて歯科用切削装置のヘッド部ハウス２８内に収容され、ヘッド部ハウス２８の上部開口部の内縁に切られためねじ２８ａにキヤップ２９をねじ込んでいる。キヤップ２９は軸受ハウス２７を押圧して軸受ハウス２６，２７をヘッド部ハウス２８に固定してある。
【００４７】
ヘッド部ハウス２８に設けた給気通路２８ｂ及び軸受ハウス６の給気口２６ａから羽根車２５の切線方向に羽根車２５に圧縮空気を吹き込み、羽根車２５に回転力を与えて回転される。圧縮空気は羽根車２５が約２７０度程度回転した位置に設けた図示されない排気口から排出される。
【００４８】
このような歯科用切削装置２０は切削工具２１が小径であり、適当な切削速度を得るため高速度で回転される。回転速度としては例えば３０万〜５０万ｒ.ｐ.ｍが選択される。そこで、羽根車、軸受等は軸の回転時に高音の騒音を発する。この音は患者にとっても気持のよい音ではない。歯科用切削装置２０から生ずる騒音は周期性である。
【００４９】
通常イヤーセットはマフラーにより中低レベルの騒音を遮音する効果が認められる。しかし、歯科用切削装置の高いレベルの騒音の遮音効果は小さい。また、音声は耳以外でも聴こえるのでイヤーセットでは充分な遮音はできない。
【００５０】
上記歯科用切削装置は周期性騒音を発する。そこで歯科用切削装置から生ずる周期性騒音を消すには、この騒音とは逆波長（位相差１８０度）の波長の同周期音を出して打ち消すことができる。しかし、この騒音の周期は歯科用切削装置が無負荷、又は負荷でも異なるし、又、負荷の程度によっても変化する。
【００５１】
そこで本例では耳元におけるアクテイブノイズコントロールを採用する。
【００５２】
図６は歯科治療台１７を示す。ヘッドレスト１７ａには歯科用切削装置２０（図３参照）から発生する音を消すために、誤差マイクロフォン（集音マイク）４１と、制御スピーカ４２を設けてある。この構成の詳細は次にのべるアクテイブノイズコントロール付イヤーセットと同様である。
【００５３】
ヘッドレスト１７ａに誤差マイクロフォン４１、制御スピーカ４２を設けてアクテイブノイズコントロール回路を設けると、歯科用切削装置２０の発生する騒音は減音される。そこでドクターＤが患者１３に話し掛ける声はマイク４を通じてイヤーセット５に明瞭に伝えることができる。
【００５４】
本例ではイヤーセット５としてアクテイブノイズコントロール付イヤーセットを採用している。
【００５５】
図７はアクテイブノイズコントロール付イヤーセット４３を示す。患者１３は頭１３ｂに全体を符号５で示すイヤーセットを装着している。このイヤーセット５はイヤーマフラ４４内に誤差マイクロフォン４５、制御スピーカ４６を収容されている。誤差マイクロフォン４５からの信号は増幅器４７を介してコントローラ４８（伝達関数Ｇｃ）に入り、コントローラ４８の中で位相が反転され、入力される音響信号γとミキシングされてコントローラ４８の特性補償回路４９（伝達関数Ｇｐ）に入力される。コントローラ４８からの出力は増幅器５０で増幅されて制御スピーカ４６から放射される。耳には音ｙが聞える。音響信号γと耳に聞える音ｙとの差が誤差信号として特性補信回路４９に入力される。
【００５６】
実施例は上述のような構成としてあるので、歯科治療中に「いたい、いたい」「いたい、とてもいたい」等の意志表示ができる。従って、ドクターが患者に対して絶えず気づかいをして治療を行うことは当然としても、過剰に治療方法について配慮し乍治療を行う必要がなくなる。また、患者も治療で痛かったらどうしようという不安にかられることなく治療を受けられるし、痛い治療の時に痛いという意志表示の方法が確保されていることにより安心感が増す。
【図面の簡単な説明】
【００５７】
【図１】意志表示機能付ヘッドフォンの斜視図である。
【図２】意志表示機能付ヘッドフォンのブロック図である。
【図３】歯科治療を示す斜視図である。
【図４】歯科用切削装置を示す縦断面図である。
【図５】音声合成装置を示すブロック図である。
【図６】アクテイブノイズコントロール機能を有する歯科治療台である。
【図７】アクテイブノイズコントロール機能を有するヘッドフォンのブロック図である。
【符号の説明】
【００５８】
１…ＣＤプレーヤー（音声再生プレーヤー）
２…音響再生装置
３…スピーカ
４…マイク
５…イヤーセット
６…ライン（有線）  ６ａ…常閉スイッチ
７…押ボタンスイッチ（意志表示用スイッチ）  ７ａ（小），７ｂ（大）…押ボタン  ７ｃ…横にずらすスイッチ
８…人工音声合成装置
９…ライン
１１…ライン
１２…アンプ
１３…患者  １３ａ…口  １３ｂ…頭
１４…増幅器
１５…オア回路
１６…ライン
１７…歯科治療台  １７ａ…ヘッドレスト
１８…ライン
２０…歯科用切削装置
２１…切削工具
２２…回転軸
２３…ころがり軸受
２４…ころがり軸受
２５…羽根車
２６…軸受ハウス  ２６ａ…給気口
２７…軸受ハウス
２８…ヘッド部ハウス  ２８ａ…めねじ  ２８ｂ…給気通路
２９…キヤップ
３１…テキスト入力
３２…発音記号生成部
３３…韻律記号生成部
３４…時間長制御部
３５…音源生成部
３６…ピッチ生成部
３７…スペクトル生成部
３８…波形合成部
３９…合成音声波形
４１…誤差マイクロフォン
４２…制御スピーカ
４３…アクテイブノイズコントロール付イヤーセット
４４…イヤーマフラー
４５…誤差マイクロフォン
４６…制御スピーカー
４７…増幅器
４８…コントローラ
４９…特性補信回路
５０…増幅器
Ｄ…ドクター
ｙ…音
γ…音響信号
【図１】
2008301988.tif 000003
【図２】
2008301988.tif 000004
【図３】
2008301988.tif 000005
【図４】
2008301988.tif 000006
【図５】
2008301988.tif 000007
【図６】
2008301988.tif 000008
【図７】
2008301988.tif 000009